(57)【要約】【課題】本発明は、電子撮像装置と磁気共鳴診断装置とを併用する場合に取り扱いが容易で、電子撮像装置と磁気共鳴診断装置との間の電磁気的な電波干渉を防止して画像ノイズの発生や、故障の少ない優れた診断を行うことができる医療用診断装置を提供することを最も主要な特徴とする。【解決手段】ＭＲＩ装置２と組み合わせてＭＲＩ装置２の撮像範囲内の磁場環境で使用され、かつ、体腔内に挿入される磁気共鳴診断用アンテナの近傍に設けられるＣＣＤカメラ９の各構成部品を非磁性体材料で構成したものである。【選択図】      図１
2004202258.tif 000002
【特許請求の範囲】
【請求項１】
磁気共鳴診断装置と組み合わせて使用され、かつ、体腔内に挿入される磁気共鳴診断用アンテナの近傍に設けられる電子撮像装置の各構成部品を非磁性体材料で構成したことを特徴とする医療用診断装置。
【発明の詳細な説明】
【技術分野】
【０００１】
本発明は、ＣＣＤ等の電子撮像装置と磁気共鳴診断装置とを併用する医療用診断装置に関する。
【背景技術】
【０００２】
一般に、磁気共鳴診断（以下、ＭＲＩと称する）装置はＸ線ＣＴ装置や、超音波診断装置と並び生体の断層像を得ることができる診断装置として医療現場に普及してきている。このＭＲＩ装置の原理は、静磁場内におかれた被撮像体に、高周波磁場を印加し、被撮像体から発生する共鳴信号を高周波アンテナでとらえて像を再構成するというものである。
【０００３】
ここで、ＭＲＩ装置の撮像範囲の磁場は、極めて強いものが要求されるが、一方、歪みや雑音のないＭＲＩ像を得るためには、撮像範囲の磁場は原理的に極めて均一な磁力で分布していなくてはならない。
【０００４】
また、被撮像体から得られる共鳴信号は極めて微弱であるため、これを受信するためのアンテナは周辺の機器等から発生する雑音電波を受信しないようにする必要がある。これらの理由により、従来、ＭＲＩ装置はほとんどが電磁的に隔離された専用の部屋で単独で使用されており、別の機器と併用されることはほとんどないのが実情である。
【０００５】
しかし、医療技術の進歩に伴い、診断や、治療をより正確に行うために、複数の機器を同時に使用することが求められている。ＭＲＩ装置もその例外ではなく、他の診断装置や治療装置と併用されることが要望されている。一例をあげると、例えば特許文献１に示すように光ファイバー内視鏡にＭＲ撮像の為のアンテナを組み込んだ体腔内ＭＲ診断、つまりＭＲ内視鏡の研究が行われている。
【０００６】
なお、ＭＲ内視鏡の優位点は、患者の体内でＭＲＩ信号を受信することができるので、体外からＭＲＩ信号を受信する一般的な方式のＭＲＩ装置に比べて、より高いＳＮ比と分解能で体内の画像を得ることができる点にある。したがって、ＭＲ内視鏡では周辺の機器等から発生するノイズをいかにして減らすかということが重要な技術課題となる。
【０００７】
さらに、光ファイバーを用いた内視鏡からの画像は、被写体の像を光学レンズや、光ファイバーなどの光学系素子のみで扱うため、ＭＲ装置から発生する強い電磁波の影響を受けることがほとんどない。
【０００８】
また、逆に光ファイバー内視鏡から発生する電磁波は弱いので、ＭＲ装置にも悪影響をほとんど及ぼすことはない。つまり、内視鏡とＭＲ装置との間の電磁気的な干渉は少ないため、光ファイバー内視鏡にＭＲアンテナを組み込んだＭＲ内視鏡を実現することは比較的容易である。
【特許文献１】特公平３−５１７４号公報
【発明の開示】
【発明が解決しようとする課題】
【０００９】
上記従来構成のように電気的にノイズを発生する要素が少ない光ファイバーとＭＲＩ装置の併用には、両者の電磁的な干渉による悪影響はそれほど大きな問題にはならないが、ＭＲＩ装置と併用される機器として、今後はＣＣＤを用いたテレビカメラ等の電子撮像装置が補助的なモニターとして用いられる可能性が高い。
【００１０】
ここで、ＣＣＤカメラからは周知のようにＣＣＤの画素に対応したクロック、水平同期信号、垂直同期信号等のパルスを扱うため電気的なノイズが発生する。また、ＣＣＤカメラで扱う映像信号は微弱な為、外部からの電磁波の影響を受けないことが大切である。
【００１１】
したがって、ＣＣＤカメラとＭＲＩ装置とを併用する場合には、ＣＣＤカメラから発生するノイズの影響がないようＭＲＩ装置を保護し、また、逆にＭＲＩ装置の強力な磁場がＣＣＤカメラに悪影響を及ぼさないようにする必要がある。
【００１２】
しかし、従来のＣＣＤカメラをそのままＭＲＩ装置の強磁場の環境下で使用した場合にはＣＣＤカメラの構成部品に一般的に使用されている鉄等の磁性体が磁場に引っ張られるのみでなく、磁性体の存在による空間の磁気歪みや、磁性体に発生する渦電流などの影響により、ＣＣＤカメラとＭＲＩ装置との間の電磁気的な電波干渉をより悪化させてしまうおそれがある。
【００１３】
本発明は上記事情に着目してなされたもので、その目的は、電子撮像装置と磁気共鳴診断装置とを併用する場合に取り扱いが容易で、電子撮像装置の構成部品が磁気共鳴診断装置の磁場に引っ張られることを防止することができるとともに、磁性体の存在による空間の磁気歪みや、磁性体に発生する渦電流などの影響による電子撮像装置と磁気共鳴診断装置との間の電磁気的な電波干渉を防止することができ、画像ノイズの発生や、故障の少ない優れた診断が行える医療用診断装置を提供することにある。
【課題を解決するための手段】
【００１４】
請求項１の発明は、磁気共鳴診断装置と組み合わせて使用され、かつ、体腔内に挿入される磁気共鳴診断用アンテナの近傍に設けられる電子撮像装置の各構成部品を非磁性体材料で構成したことを特徴とする医療用診断装置である。  
そして、本請求項１の発明では、電子撮像装置の各構成部品を非磁性体で構成することにより、電子撮像装置本体が磁気共鳴診断装置の磁力で引っ張られることを防止して磁気共鳴診断装置の磁力で電子撮像装置の構成部品が破壊されることを防止するとともに、磁気共鳴診断装置の磁力が電子撮像装置の画質に影響を及ぼすことを防止し、かつ電子撮像装置による磁気共鳴診断装置の磁気歪を少なくしたものである。
【発明の効果】
【００１５】
本発明によれば、磁気共鳴診断装置と併用する電子撮像装置の各構成部品を非磁性体で構成したので、互いの電磁波による干渉を軽減することができる。したがって、互いの電磁干渉による装置の故障や、画像ノイズの発生が少なくなり、より優れた診断を行うことができる。
【発明を実施するための最良の形態】
【００１６】
以下、本発明の第１の実施の形態を図１（Ａ），（Ｂ）を参照して説明する。図１（Ａ）は医療用診断装置１全体の概略構成を示すもので、参照符号２はＣ型アームのＭＲＩ装置（磁気共鳴診断装置）を示すものである。
【００１７】
このＭＲＩ装置２には基台３に略逆Ｌ字状の支持アーム４が突設されている。また、このＭＲＩ装置２の磁場発生装置５には一対のマグネット６，７が設けられている。ここで、一方のマグネット６は基台３の一側部に配設され、他方のマグネット７はマグネット６の上方に離間対向配置された状態で支持アーム４の先端部に固定されている。そして、上下のマグネット６，７間に被撮像体８を設置する空間が配置されている。
【００１８】
また、この医療用診断装置１ではＭＲＩ装置２の撮像範囲内の磁場環境で、ＣＣＤカメラ（電子撮像装置）９がＭＲＩ装置２と組み合わせて使用される。このＣＣＤカメラ９には図１（Ｂ）に示すようにカメラ外筒１０内に対物レンズとなる光学レンズ１１が配設され、この光学レンズ１１の後方にＣＣＤチップ１２およびＣＣＤ回路基板１３が配設されている。このＣＣＤ回路基板１３にはＣＣＤチップ１２の信号を送受信する同軸ケーブル１４の一端部が接続されている。この同軸ケーブル１４の他端部は外部のＣＣＤカメラ９の信号処理回路に接続されている。そして、ＣＣＤカメラ９によって撮影された映像はこの信号処理回路を介して外部のモニタ等の表示装置に表示されるようになっている。
【００１９】
また、このＣＣＤカメラ９を構成するカメラ外筒１０、光学レンズ１１、ＣＣＤチップ１２、ＣＣＤ回路基板１３、同軸ケーブル１４等の全ての構成部品はプラスチック、ガラス、銅や、アルミニウムなどの非磁性体でできている。さらに、ＣＣＤチップ１２とＣＣＤ回路基板１３とから構成されるＣＣＤユニット１５の周囲は前面（光学レンズ１１と対向する面）が開口された略箱型の非磁性体の電磁遮蔽板１６によって覆われている。
【００２０】
なお、ＣＣＤカメラ９の各構成部品は具体的にはそれぞれ次の材料によって形成されている。すなわち、カメラ外筒１０は銅、アルミニウム、合成樹脂、金属蒸着した樹脂である。光学レンズ１１はガラス、合成樹脂である。ＣＣＤチップ１２は金等の導体とシリコン等の半導体である。ＣＣＤ回路基板１３はガラスエポキシ、テフロン、高分子フィルム等である。同軸ケーブル１４は金、銀、銅、アルミニウム等の非磁性金属からなる導線と高分子材料の絶縁体である。電磁遮蔽体１６は金、銀、銅、アルミニウム等の非磁性金属からなる板・金網・薄膜等である。ここで、ＣＣＤチップ１２の前面は光学レンズ１１からＣＣＤチップ１２へ光が通過するような金網や、ＣＣＤチップ１２の受光素子が受光面に蒸着された格子状の薄膜で遮蔽されていても良い。
【００２１】
そこで、上記構成のものにあっては次の効果が得られる。すなわち、非磁性体からなるＣＣＤカメラ９を設けたので、ＭＲＩ装置２の磁場（図１（Ａ）の矢印の線）の中にこのＣＣＤカメラ９を持ち込んだ際に、ＭＲＩ装置２の磁場の中で通常のＣＣＤカメラ（鉄やニッケル等の磁性体製の構成部品を含む）を使用する場合のようにＣＣＤカメラ９の本体がＭＲＩ装置２の磁力で引っ張られるおそれがない。そのため、ＭＲＩ装置２の磁場の中で通常のＣＣＤカメラを使用する場合に比べてＣＣＤカメラ９の取り扱いが容易である。
【００２２】
さらに、ＭＲＩ装置２の磁力でＣＣＤカメラ９の各構成部品が破壊されることがなく、故障が少ないうえ、ＭＲＩ装置２の磁力の影響により、ＣＣＤカメラ９による撮影画像の画質が低下するおそれもない。
【００２３】
また、ＣＣＤカメラ９から発生する電気的なノイズが外部に漏れることが電磁遮蔽板１５によって防止することができるので、ＭＲＩ装置２の磁場の中のＣＣＤカメラ９の存在による磁気歪を少なくすることができる。そのため、磁性体の存在によるＭＲＩ装置２の磁場空間の磁気歪みや、磁性体に発生する渦電流などの影響によるＣＣＤカメラ９とＭＲＩ装置２との間の電磁気的な電波干渉を防止することができ、ＭＲＩ装置２の画像ノイズの発生を防止することができる。
【００２４】
さらに、ＣＣＤカメラ９をＭＲＩ装置２の撮像範囲内の磁場環境で、ＭＲＩ装置２と組み合わせて使用できるので、例えば、このＭＲＩ装置２の観察台で患者の手術をしている最中に、ＣＣＤカメラ９で患者の臓器表面の画像を見ながらその断層像をＭＲＩ装置２で観察する等のことができるようになり、より優れた診断と処置ができる。
【００２５】
また、本実施の形態のＭＲＩ装置２では磁場発生装置５の上下のマグネット６，７を略Ｃ型のアーム（基台３および支持アーム４）によって支持させる構成になっているので、上下のマグネット６，７間の被撮像体８を設置する空間が開放されている。そのため、この種のＭＲＩ装置２の磁場発生装置５で多く採用されている円筒系のものに比べて被撮像体８を観察および処置し易い構造となっているので、ＭＲＩ装置２で断層像を観察しながら手術をする操作が可能となる。
【００２６】
また、図２（Ａ），（Ｂ）は本発明の第２の実施の形態を示すものである。これは、軟性の電子内視鏡２１における挿入部２２の先端部２３に非磁性体材料からなるＣＣＤカメラ２４とＭＲＩ装置２５のＭＲＩ撮像用高周波ループアンテナ２６とを組み込んだものである。
【００２７】
ここで、ＣＣＤカメラ２４には図２（Ｂ）に示すように挿入部２２の先端部２３の前部に配設された光学レンズ２７と、このレンズ２７の後方に離間対向配置されたＣＣＤチップ２８とＣＣＤ回路基板２９とから構成されるＣＣＤユニット３０とが設けられている。さらに、ＣＣＤユニット３０の周囲は前面（光学レンズ２７と対向する面）が開口された略箱型の非磁性体の電磁遮蔽板３１によって覆われている。
【００２８】
また、ループアンテナ２６はＣＣＤカメラ２４による観察方向に対して光学レンズ１１の前方に配置されている。そして、このループアンテナ２６の後方に若干の距離をおいて電磁遮蔽板３１によって電磁シールドされたＣＣＤユニット３０が設置されており、ループアンテナ２６とＣＣＤユニット３０とが互いの電磁的干渉を避けるようになっている。
【００２９】
また、ＣＣＤ回路基板２９には同軸ケーブル３２の一端部が接続されている。この同軸ケーブル３２の他端部は図２（Ａ）に示すように内視鏡２１の外部に配設された内視鏡２１の光源を兼ねる信号処理装置３３に接続されている。この信号処理装置３３には外部のモニタ等の表示装置３４およびＭＲＩ装置２５に接続されている。そして、ＣＣＤカメラ２４によって撮影された映像はこの信号処理装置３３を介して表示装置３４に表示されるようになっている。
【００３０】
さらに、ループアンテナ２６はＭＲ信号ケーブル（同軸ケーブル）３５を介してＭＲＩ装置２５に接続されている。そして、ループアンテナ２６によって受信されたＭＲ信号はＭＲ信号ケーブル３５を介してＭＲＩ装置２５に送られ、断層像が形成されるようになっている。
【００３１】
そこで、上記構成のものにあっては次の効果が得られる。すなわち、ＣＣＤカメラ２４のＣＣＤユニット３０は電磁遮蔽板３１によって電磁シールドされており、ＭＲＩ装置２５の強力な磁場の影響を緩和できるので、このＣＣＤユニット３０がＭＲＩ装置２５の強力な磁場の影響を受けて破壊されたり、性能が劣化することはない。
【００３２】
さらに、ＣＣＤユニット３０の電磁遮蔽板３１は非磁性体であり、ＭＲＩ装置２５の磁場空間を磁気的に歪める影響が少ないためＭＲＩ装置２５の性能を劣化させることがない。
【００３３】
また、内視鏡２１をＭＲＩ装置２５と組み合わせて使用することができるので、例えばＣＣＤカメラ２４で胃の粘膜表面の観察をすると同時に、ＣＣＤカメラ２４で観察している粘膜下の断層像をＭＲＩ装置２５のループアンテナ２６によって得ることができる。このとき、ＣＣＤカメラ２４で撮像した映像信号は、ＭＲＩ装置２５で撮像した映像信号とともに信号処理装置３３内のメモリーに一旦記録されたのち、診断に最適な画像処理をした上で、両画像を対比することができるので、癌の早期発見や、浸潤の深さを知るなどの診断技術の向上に役立つ。
【００３４】
また、内視鏡２１における挿入部２２の先端部２３に配設されたループアンテナ２６の指向性と、ＣＣＤカメラ２４の光学系の指向性は同一方向であるから、ＣＣＤカメラ２４で観察した粘膜表面の像と、ＭＲＩ装置２５の断層像との対応が容易なので、診断しやすい。
【００３５】
さらに、ループアンテナ２６がＣＣＤカメラ２４のＣＣＤユニット３０よりも前方に配置されているので、ＣＣＤユニット３０のＣＣＤチップ２８とＣＣＤ回路基板２９とがループアンテナ２６の前に配置されている場合のように生体からでる微弱なＭＲ信号をＣＣＤユニット３０が遮り、ループアンテナ２６で受信することが難しくなることを防止することができる。
【００３６】
また、電子内視鏡２１のＣＣＤカメラ２４のＣＣＤ回路基板２９とＭＲＩ装置２５との間は駆動信号を送受信しあっており、互いの駆動タイミングを制御できるようになっている。
【００３７】
次に、図３（Ａ）を参照して電子内視鏡２１のＣＣＤカメラ２４とＭＲＩ装置２５との駆動タイミングについて説明する。ここでは、図３（Ａ）に示すようにＭＲＩ装置２５を駆動し、ＣＣＤカメラ２４の駆動を休止する第１の状態と、ＭＲＩ装置２５の駆動を休止し、ＣＣＤカメラ２４を駆動する第２の状態とを交互に切換えることにより、互いの電磁的干渉を少なくしたものである。なお、図３（Ａ）では横方向に時間軸をとり、ＣＣＤカメラ２４とＭＲＩ装置２５のそれぞれの駆動のタイミングを示している。
【００３８】
このようにＣＣＤカメラ２４の駆動を停止している期間（図３（Ａ）でＯＦＦの表示がある時間）に、ＭＲＩ装置２５の撮像を行い（図３（Ａ）でＯＮの表示がある時間）、逆にＭＲＩ装置２５の撮像を停止している時間にＣＣＤカメラ２４による撮像を行うようにしている。
【００３９】
そこで、上記構成のものにあってはＣＣＤカメラ２４で撮像の為の電気的走査をしている期間はＭＲＩ装置２５の電気的走査を休止しているので、ＭＲＩ装置２５から発生する高周波磁界がＣＣＤカメラ２４へノイズとして混入することによる悪影響を防止することができる。また、逆にＭＲＩ装置２５の撮像の期間は、ＣＣＤカメラ２４の電気的走査を休止して、ＭＲＩ装置２５へのノイズ混入を防止することができる。したがって、このようにＣＣＤカメラ２４およびＭＲＩ装置２５を交互に駆動することにより、ＣＣＤカメラ２４あるいはＭＲＩ装置２５の一方が撮像の為の動作をしている間、他方から電磁波が発生することがないので、双方の電磁干渉により画像にノイズや、歪み等が発生することがなく、また互いの装置を電磁波干渉による故障から守ることができる。
【００４０】
また、図３（Ｂ）に示すようにＣＣＤカメラ２４の撮像停止直前のＡ時点で取り込んだ画像データを同図中でＢ時点とＣ時点との間のＣＣＤカメラ２４の停止期間中にも継続してモニタ等の表示装置３４に再現する構成にしてもよい。この場合にはモニタ等の表示装置３４に表示される映像がＣＣＤカメラ２４の停止期間中に遮断されてＣＣＤカメラ２４から送られる画像が途切れることを無くすることができる。そのため、ＣＣＤカメラ２４の停止期間中にもその直前に撮像した像の記憶データを画像として継続してモニタ等の表示装置３４に再現することができるので、ＣＣＤカメラ２４の停止期間中に画像が途切れること無く、診断が容易となる。
【００４１】
また、図４は本発明の第３の実施の形態を示すものである。これは、硬性鏡４１における挿入部４２の先端部４３に非磁性体材料からなるＣＣＤカメラ４４と図２（Ａ）に示すＭＲＩ装置２５のＭＲＩ撮像用高周波ループアンテナ２６とを組み込んだものである。
【００４２】
ここで、ＣＣＤカメラ４４には図４に示すように硬性鏡４１の挿入部４２の先端部４３の前部に配設された第１の光学系４５と、この第１の光学系４５の後方に遠く離して離間対向配置されたＣＣＤチップ４６とＣＣＤ回路基板４７とから構成されるＣＣＤユニット４８と、このＣＣＤユニット４８と第１の光学系４５との間に介設された第２の光学系４９とが設けられている。なお、第１の光学系４５および第２の光学系４９は例えば光ファイバーまたはリレーレンズ等によって形成されている。さらに、ＣＣＤユニット４８の周囲は前面（第２の光学系４９と対向する面）が開口された略箱型の非磁性体の電磁遮蔽板５０によって覆われている。
【００４３】
また、本実施の形態ではループアンテナ２６は第２の実施の形態と同様にＣＣＤカメラ４４による観察方向に対して第２の光学系４９の前方に配置されている。そして、このループアンテナ２６の後方に遠く離して電磁遮蔽板５０によって電磁シールドされたＣＣＤユニット４８が設置されており、ループアンテナ２６とＣＣＤカメラ４４とが互いの電磁的干渉を避けるようになっている。
【００４４】
そこで、上記構成のものにあっては第２の実施の形態と同様の効果が得られる他、本実施の形態では特に第１の光学系４５および第２の光学系４９を介してＣＣＤユニット４８への導光を行うようにしたので、ＣＣＤユニット４８とループアンテナ２６との間の距離を第１の光学系４５および第２の光学系４９の光軸方向の組み合わせによって自由に設定することができる。そのため、第２の光学系４９を用いてＣＣＤユニット４８迄の導光距離を長くすることにより、ＣＣＤユニット４８とループアンテナ２６との間の距離を遠く離して設置することができるので、ＣＣＤユニット４８とループアンテナ２６との間の互いの電気的干渉を効果的に防止することができる。
【００４５】
また、図５は本発明の第４の実施の形態を示すものである。これは、非磁性体からなる硬性鏡５１の接眼部５２に外付けカメラとして第１の実施の形態に示した非磁性体からなるＣＣＤカメラ９を設置したものである。
【００４６】
さらに、この実施の形態では、硬性鏡５１のチャンネル５３を通して体腔内にＭＲ診断用ループアンテナ５４が挿入されている。このループアンテナ５４は表面を絶縁してあり、患部に密着した場合の生体の電気的安全性を高めるようになっている。
【００４７】
ここで、ループアンテナ５４の材質は銅や、アルミニウムの他、ニッケルとチタンの合金等からなる形状記憶合金であってもよい。なお、ループアンテナ５４の材質が形状記憶合金の場合にはループアンテナ５４のループを閉じて細長い針金状にしてチャンネル５３を挿通させた後、通電加温により、ループアンテナ５４の形状をループ状に回復させることができるので便利である。
【００４８】
また、ループアンテナ５４の信号は同軸ケーブル５５を介して図２（Ａ）に示すＭＲＩ装置２５の本体と送信または受信できるようになっている。ここで、同軸ケーブル５５はループアンテナ５４の支持体も兼ねており、同軸ケーブル５５を進退させることによって、患部とループアンテナ５４との間の距離を調節してＭＲＩ装置２５の撮像範囲や、感度を調整できるようになっている。
【００４９】
そこで、上記構成のものにあってはループアンテナ５４とＣＣＤカメラ９との間の距離を遠く離して設置することができるので、互いの電磁干渉を確実に軽減できる。そのため、ノイズや歪みの少ないＭＲＩ装置２５や、ＣＣＤカメラ９の画像を得ることができるので、より優れた診断が可能となる。
【００５０】
また、図６は本発明の第５の実施の形態を示すものである。これは、第４の実施の形態の硬性鏡５１の接眼部５２に軟性鏡６１の先端部を連結するとともに、軟性鏡６１の接眼部６２にＣＣＤカメラ９を連結し、硬性鏡５１の光学像を軟性鏡６１を通してＣＣＤカメラ９に伝送する構成にしたものである。なお、図６中で、一点鎖線Ｌから左の部分はＭＲＩ装置２５の磁場が強い領域Ｍを示す。また、６３は軟性鏡支持アームである。
【００５１】
この場合には、ＭＲＩ装置２５のループアンテナ５４とＣＣＤカメラ９との間の距離をさらに離し、ＣＣＤカメラ９をＭＲＩ装置２５の磁場が強い領域Ｍの外側に配置することができるので、ＣＣＤカメラ９とＭＲＩ装置２５との間の電磁干渉をより一層低減することができる。
【００５２】
なお、本発明は上記実施の形態に限定されるものではなく、本発明の要旨を逸脱しない範囲で種々変形実施できることは勿論である。
【００５３】
次に、本出願の他の特徴的な技術事項を下記の通り付記する。
【００５４】
記
（付記項１）  ＭＲＩ装置の撮像範囲内の磁場環境で用いるＣＣＤカメラを非磁性体で構成したことを特徴とする医療用診断装置。
【００５５】
（付記項２）  体腔内に挿入可能なカテーテルまたはシースに内蔵されたＣＣＤ（電子撮像素子）と、ＭＲ撮像用高周波アンテナにおいて、電子撮像素子と電子撮像素子の駆動回路が非磁性体であることを特徴とする医療用診断装置。
【００５６】
（付記項２の目的）  ＣＣＤとＭＲ撮像用高周波アンテナをカテーテルまたはシースに内蔵した医療用診断装置においてもＣＣＤとＭＲＩの電磁気的な電波干渉を悪化させてしまう恐れがあった。
【００５７】
そこで、ＣＣＤとＭＲ撮像用高周波アンテナをカテーテルまたはシースに内蔵した医療用診断装置において、ＣＣＤとＭＲＩの電磁気的な電波干渉を防止することができる医療用診断装置を提供することを目的とするものである。
【００５８】
（付記項３）  上記付記項２において、ＣＣＤ撮像のための電気的走査の期間にはＭＲＩ撮像を休止し、ＭＲＩ撮像のための電気的走査の期間にはＣＣＤの走査を休止することを特徴とした医療用診断装置。
【００５９】
（付記項３の作用）  ＣＣＤ撮像のための電気的走査とＭＲＩ撮像のための電気的走査は同期間には行われないため、ＭＲＩの磁力がＣＣＤの画質に影響を及ぼさない。ＣＣＤカメラによる磁気歪がＭＲＩの画像に影響を及ぼさない。
【図面の簡単な説明】
【００６０】
【図１】本発明の第１の実施の形態を示すもので、（Ａ）は医療用診断装置全体の概略構成図、（Ｂ）はＣＣＤカメラの概略構成図。
【図２】本発明の第２の実施の形態を示すもので、（Ａ）は医療用診断装置全体の概略構成図、（Ｂ）は軟性内視鏡における挿入部の先端部の概略構成図。
【図３】（Ａ）はＣＣＤカメラとＭＲＩ装置の駆動タイミングを説明するための説明図、（Ｂ）はＣＣＤカメラの停止期間中に撮像停止直前に取り込んだ画像データを継続して再現する動作を説明するための説明図。
【図４】本発明の第３の実施の形態の要部構成を示す概略構成図。
【図５】本発明の第４の実施の形態の要部構成を示す概略構成図。
【図６】本発明の第５の実施の形態の要部構成を示す概略構成図。
【符号の説明】
【００６１】
２，２５…ＭＲＩ装置（磁気共鳴診断装置）、９，２４，４４…ＣＣＤカメラ（電子撮像装置）。
【図１】
2004202258.tif 000003
【図２】
2004202258.tif 000004
【図３】
2004202258.tif 000005
【図４】
2004202258.tif 000006
【図５】
2004202258.tif 000007
【図６】
2004202258.tif 000008